(57)【要約】【課題】複数の商品の購入が申し込まれた場合に、商品毎に精算処理を行う金額精算装置を提供する。【解決手段】複数の商品の購入の申込みを受け付けた場合に、複数の商品の金額を精算する金額精算装置２０であって、第１の商品と第２の商品の購入の申込みをユーザから受け付けた場合に、第１の商品の金額である第１の商品金額と、第２の商品の金額である第２の商品金額とを取得して、第１の商品金額と第２の商品金額を含む合計金額を算出する合計金額算出部２００と、所定の振込口座に合計金額が入金された旨を示す情報を受信した場合に、合計金額のうち、第２の商品金額を所定の振込口座とは異なる第２の振込口座に振り込む指示を送信する指示送信部２０４とを備える。【選択図】　図２
2004046377.tif 000002
【特許請求の範囲】
【請求項１】
複数の商品の購入の申込みを受け付けた場合に、前記複数の商品の金額を精算する金額精算装置であって、
第１の商品と第２の商品の購入の申込みをユーザから受け付けた場合に、第１の商品の金額である第１の商品金額と、第２の商品の金額である第２の商品金額とを取得して、第１の商品金額と第２の商品金額を含む合計金額を算出する合計金額算出部と、
所定の振込口座に前記合計金額が入金された旨を示す情報を受信した場合に、前記合計金額のうち、前記第２の商品金額を前記所定の振込口座とは異なる第２の振込口座に振り込む指示を送信する指示送信部と
を備えることを特徴とする金額精算装置。
【請求項２】
前記所定の振込口座は、前記第１の商品の提供者が所有する振込口座である第１の振込口座であることを特徴とする請求項１に記載の金額精算装置。
【請求項３】
前記指示送信部が送信した前記指示通りに、前記第２の振込口座に振り込みが完了した旨を示す完了情報を受信した場合に、前記第２の商品の提供者である第２の提供者に前記第２の商品を要求する要求送信部をさらに備えることを特徴とする請求項１に記載の金額精算装置。
【請求項４】
前記第２の商品の提供者である第２の提供者が、予め定められた提供者である場合に、前記指示送信部が送信した前記指示通りに前記第２の振込口座に振り込みが完了した旨を示す完了情報を受信した後に前記第２の提供者に前記第２の商品を要求し、
一方前記第２の提供者が予め定められた提供者ではない場合に、前記完了情報を受信する前に、前記第２の提供者に前記第２の商品を要求する要求送信部をさらに備えることを特徴とする請求項１に記載の金額精算装置。
【請求項５】
前記ユーザから前記合計金額が入金された入金日を、前記ユーザに対応付けて格納する金額格納部と、
予め定められた期間に入金された前記合計金額に含まれるすべての第２の商品金額を加算した一括金額を算出する一括金額算出部と
をさらに備え、
前記指示送信部は、前記一括金額を前記第２の提供者の振込口座に振り込む指示を送信することを特徴とする請求項１に記載の金額精算装置。
【請求項６】
前記指示送信部は、前記ユーザから前記合計金額が入金された旨を示す情報を受信した場合に、前記第１の商品金額を取得し、前記合計金額のうち、前記第１の商品金額を前記第１の商品の提供者である第１の提供者の振込口座に振り込む指示をさらに送信することを特徴とする請求項１に記載の金額精算装置。
【請求項７】
前記第２の商品は、保険であることを特徴とする請求項１に記載の金額精算装置。
【請求項８】
前記第１の商品は、旅行であることを特徴とする請求項７に記載の金額精算装置。
【請求項９】
前記指示送信部は、前記合計金額を入金した前記ユーザを識別する情報を、前記第二の振込口座の管理者に提示すべく、前記指示とともに送信することを特徴とする請求項１に記載の金額精算装置。
【請求項１０】
保険契約を取り扱う保険代理店から保険契約の申込みを受け付ける保険契約装置であって、
保険契約の申込みを受け付けた場合に、前記保険契約の保険料を取得し、取得した前記保険料を、前記保険代理店の口座から前記保険会社の口座に振り込む指示を、前記保険代理店の口座を管理する口座管理装置に送信する指示送信部と、前記指示に対して、振り込みが完了した旨を前記口座管理装置から受信した場合に、前記保険契約の契約証の発券を承認する承認情報を前記保険代理店に送信する発券承認部と
を備えることを特徴とする保険契約装置。
【請求項１１】
前記発券承認部は、前記保険契約の申込みを受け付けた前記保険代理店が、予め定められた保険代理店である場合に、前記指示に対して、振り込みが完了した旨を前記口座管理装置から受信する前に、前記保険契約の契約証の発券を承認する承認情報を前記保険代理店に送信し、
前記保険契約の申込みを受け付けた前記保険代理店が、予め定められた保険代理店ではない場合に、前記指示に対して、振り込みが完了した旨を前記口座管理装置から受信した後に、前記保険契約の契約証の発券を承認する承認情報を前記保険代理店に送信することを特徴とする請求項１０に記載の保険契約装置。
【請求項１２】
複数の商品の購入の申込みを受け付けた場合に、前記複数の商品の金額を精算する金額精算方法であって、
コンピュータが、
第１の商品と第２の商品の購入の申込みをユーザから受け付けた場合に、第１の商品の金額である第１の商品金額と、第２の商品の金額である第２の商品金額とを取得して、第１の商品金額と第２の商品金額を含む合計金額を算出する合計金額算出ステップと、
所定の振込口座に前記合計金額が入金された旨を示す情報を受信した場合に、前記合計金額のうち、前記第２の商品金額を前記所定の振込口座とは異なる第２の振込口座に振り込む指示を送信する指示送信ステップと
を備えることを特徴とする金額精算方法。
【請求項１３】
前記所定の振込口座は、前記第１の商品の提供者が所有する振込口座である第１の振込口座であることを特徴とする請求項１２に記載の金額精算方法。
【請求項１４】
前記指示送信ステップにおいて送信した前記指示通りに、前記第２の振込口座に振り込みが完了した旨を示す完了情報を受信した場合に、前記第２の商品の提供者である第２の提供者に前記第２の商品を要求する要求送信ステップをさらに備えることを特徴とする請求項１２に記載の金額精算方法。
【請求項１５】
前記第２の商品の提供者である第２の提供者が、予め定められた提供者である場合に、前記指示送信ステップにおいて送信した前記指示通りに前記第２の振込口座に振り込みが完了した旨を示す完了情報を受信した後に前記第２の提供者に前記第２の商品を要求し、
一方前記第２の提供者が予め定められた提供者ではない場合に、前記完了情報を受信する前に、前記第２の提供者に前記第２の商品を要求する要求送信ステップをさらに備えることを特徴とする請求項１２に記載の金額精算方法。
【請求項１６】
前記ユーザから前記合計金額が入金された入金日を、前記ユーザに対応付けて格納する金額管理ステップと、
予め定められた期間に入金された前記合計金額に含まれるすべての第２の商品金額を加算した一括金額を算出する一括金額算出ステップと
をさらに備え、
前記指示送信ステップにおいて、前記一括金額を前記第２の提供者の振込口座に振り込む指示を送信することを特徴とする請求項１２に記載の金額精算方法。
【請求項１７】
前記指示送信ステップにおいて、前記ユーザから前記合計金額が入金された旨を示す情報を受信した場合に、前記第１の商品金額を取得し、前記合計金額のうち、前記第１の商品金額を前記第１の商品の提供者である第１の提供者の振込口座に振り込む指示をさらに送信することを特徴とする請求項１２に記載の金額精算方法。
【請求項１８】
前記第２の商品は、保険であることを特徴とする請求項１２に記載の金額精算方法。
【請求項１９】
前記第１の商品は、旅行であることを特徴とする請求項１８に記載の金額精算方法。
【請求項２０】
前記指示送信ステップにおいて、前記合計金額を入金した前記ユーザを識別する情報を、前記第２の振込口座の管理者に提示すべく、前記指示とともに送信することを特徴とする請求項１２に記載の金額精算方法。
【請求項２１】
保険契約を取り扱う保険代理店から保険契約の申込みを受け付ける保険契約方法であって、
コンピュータが、
保険契約の申込みを受け付けた場合に、前記保険契約の保険料を取得し、取得した前記保険料を、前記保険代理店の口座から前記保険会社の口座に振り込む指示を、前記保険代理店の口座を管理する口座管理装置に送信する指示送信ステップと、
前記指示に対して、振り込みが完了した旨を前記口座管理装置から受信した場合に、前記保険契約の契約証の発券を承認する承認情報を前記保険代理店に送信する発券承認ステップと
を備えることを特徴とする保険契約方法。
【請求項２２】
前記発券承認ステップにおいて、前記保険契約の申込みを受け付けた前記保険代理店が、予め定められた保険代理店である場合に、前記指示に対して、振り込みが完了した旨を前記口座管理装置から受信する前に、前記保険契約の契約証の発券を承認する承認情報を前記保険代理店に送信し、
前記保険契約の申込みを受け付けた前記保険代理店が、予め定められた保険代理店ではない場合に、前記指示に対して、振り込みが完了した旨を前記口座管理装置から受信した後に、前記保険契約の契約証の発券を承認する承認情報を前記保険代理店に送信することを特徴とする請求項２１に記載の保険契約方法。
【請求項２３】
複数の商品の購入の申込みを受け付けた場合に、前記複数の商品の金額を精算するコンピュータ用のプログラムであって、
第１の商品と第２の商品の購入の申込みをユーザから受け付けた場合に、第１の商品の金額である第１の商品金額と、第２の商品の金額である第２の商品金額とを取得して、第１の商品金額と第２の商品金額を含む合計金額を算出する合計金額算出機能と、
所定の振込口座に前記合計金額が入金された旨を示す情報を受信した場合に、前記合計金額のうち、前記第２の商品金額を前記所定の振込口座とは異なる第２の振込口座に振り込む指示を送信する指示送信機能と
を前記コンピュータに実現させることを特徴とするプログラム。
【請求項２４】
前記所定の振込口座は、前記第１の商品の提供者が所有する振込口座である第１の振込口座であることを特徴とする請求項２３に記載のプログラム。
【請求項２５】
前記指示送信機能において送信した前記指示通りに、前記第２の振込口座に振り込みが完了した旨を示す完了情報を受信した場合に、前記第２の商品の提供者である第２の提供者に前記第２の商品を要求する要求送信機能をさらに備えることを特徴とする請求項２３に記載のプログラム。
【請求項２６】
前記第２の商品の提供者である第２の提供者が、予め定められた提供者である場合に、前記指示送信機能において送信した前記指示通りに前記第２の振込口座に振り込みが完了した旨を示す完了情報を受信した後に前記第２の提供者に前記第２の商品を要求し、
一方前記第２の提供者が予め定められた提供者ではない場合に、前記完了情報を受信する前に、前記第２の提供者に前記第２の商品を要求する要求送信機能をさらに備えることを特徴とする請求項２３に記載のプログラム。
【請求項２７】
前記ユーザから前記合計金額が入金された入金日を、前記ユーザに対応付けて格納する金額管理機能と、
予め定められた期間に入金された前記合計金額に含まれるすべての第２の商品金額を加算した一括金額を算出する一括金額算出機能と
をさらに備え、
前記指示送信機能において、前記一括金額を前記第２の提供者の振込口座に振り込む指示を送信することを特徴とする請求項２３に記載のプログラム。
【請求項２８】
前記指示送信機能において、前記ユーザから前記合計金額が入金された旨を示す情報を受信した場合に、前記第１の商品金額を取得し、前記合計金額のうち、前記第１の商品金額を前記第１の商品の提供者である第１の提供者の振込口座に振り込む指示をさらに送信することを特徴とする請求項２３に記載のプログラム。
【請求項２９】
前記第２の商品は、保険であることを特徴とする請求項２３に記載のプログラム。
【請求項３０】
前記第１の商品は、旅行であることを特徴とする請求項２９に記載のプログラム。
【請求項３１】
前記指示送信機能において、前記合計金額を入金した前記ユーザを識別する情報を、前記第２の振込口座の管理者に提示すべく、前記指示とともに送信することを特徴とする請求項２３に記載のプログラム。
【請求項３２】
保険契約を取り扱う保険代理店から保険契約の申込みを受け付けるコンピュータ用のプログラムであって、
保険契約の申込みを受け付けた場合に、前記保険契約の保険料を取得し、取得した前記保険料を、前記保険代理店の口座から前記保険会社の口座に振り込む指示を、前記保険代理店の口座を管理する口座管理装置に送信する指示送信機能と、
前記指示に対して、振り込みが完了した旨を前記口座管理装置から受信した場合に、前記保険契約の契約証の発券を承認する承認情報を前記保険代理店に送信する発券承認機能と
を前記コンピュータに実現させることを特徴とするプログラム。
【請求項３３】
前記発券承認機能において、前記保険契約の申込みを受け付けた前記保険代理店が、予め定められた保険代理店である場合に、前記指示に対して、振り込みが完了した旨を前記口座管理装置から受信する前に、前記保険契約の契約証の発券を承認する承認情報を前記保険代理店に送信し、
前記保険契約の申込みを受け付けた前記保険代理店が、予め定められた保険代理店ではない場合に、前記指示に対して、振り込みが完了した旨を前記口座管理装置から受信した後に、前記保険契約の契約証の発券を承認する承認情報を前記保険代理店に送信することを特徴とする請求項３２に記載のプログラム。
【発明の詳細な説明】
【０００１】
【発明の属する技術分野】
本発明は、金額精算装置、金額精算方法、保険契約装置、保険契約方法、及びプログラムに関する。特に本発明は、商品の金額を精算する金額精算装置、金額精算方法、保険契約装置、保険契約方法、及びプログラムに関する。
【０００２】
【従来の技術】
旅行代理店において、ユーザは、旅行と同時に保険への加入を申し込む場合がある。この場合ユーザは、旅行代金とともに保険料を旅行代理店に支払う。旅行代理店は、旅行代金と保険料を受け取ると、旅行券とともに保険の契約証を発券する。旅行代理店は、保険料を一旦保管し、定期的に保険会社の振込口座に振り込む。
【０００３】
【発明が解決しようとする課題】
このように旅行代理店は、旅行代金と保険料の合計金額が一括で支払われるので、合計金額から保険料を抽出し、保険会社に振り込むための手続きを行わなければならなかった。また申込みから旅行までの期間が短い場合には、早期に契約証を発券しなければならないため、保険会社は、保険料を旅行代理店から受け取る前に、保険の契約証の発券しており、発券後に旅行代理店からの保険料を回収するというリスクがあった。
【０００４】
そこで本発明は、上記の課題を解決することのできる金額精算装置、金額精算方法、保険契約装置、保険契約方法、及びプログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、複数の商品の購入の申込みを受け付けた場合に、複数の商品の金額を精算する金額精算装置であって、第１の商品と第２の商品の購入の申込みをユーザから受け付けた場合に、第１の商品の金額である第１の商品金額と、第２の商品の金額である第２の商品金額とを取得して、第１の商品金額と第２の商品金額を含む合計金額を算出する合計金額算出部と、所定の振込口座に合計金額が入金された旨を示す情報を受信した場合に、合計金額のうち、第２の商品金額を所定の振込口座とは異なる第２の振込口座に振り込む指示を送信する指示送信部とを備える。
【０００６】
所定の振込口座は、第１の商品の提供者が所有する振込口座である第１の振込口座であってもよい。指示送信部が送信した指示通りに、第２の振込口座に振り込みが完了した旨を示す完了情報を受信した場合に、第２の商品の提供者である第２の提供者に第２の商品を要求する要求送信部をさらに備えてもよい。
【０００７】
第２の商品の提供者である第２の提供者が、予め定められた提供者である場合に、指示送信部が送信した指示通りに第２の振込口座に振り込みが完了した旨を示す完了情報を受信した後に第２の提供者に第２の商品を要求し、一方第２の提供者が予め定められた提供者ではない場合に、完了情報を受信する前に、第２の提供者に第２の商品を要求する要求送信部をさらに備えてもよい。
【０００８】
ユーザから合計金額が入金された入金日を、ユーザに対応付けて格納する金額格納部と、予め定められた期間に入金された合計金額に含まれるすべての第２の商品金額を加算した一括金額を算出する一括金額算出部とをさらに備え、指示送信部は、一括金額を第２の提供者の振込口座に振り込む指示を送信してもよい。
【０００９】
指示送信部は、ユーザから合計金額が入金された旨を示す情報を受信した場合に、第１の商品金額を取得し、合計金額のうち、第１の商品金額を第１の商品の提供者である第１の提供者の振込口座に振り込む指示をさらに送信してもよい。
【００１０】
第２の商品は、保険であってもよい。第１の商品は、旅行であってもよい。指示送信部は、合計金額を入金したユーザを識別する情報を、第二の振込口座の管理者に提示すべく、指示とともに送信してもよい。
【００１１】
本発明の第２の形態によると、保険契約を取り扱う保険代理店から保険契約の申込みを受け付ける保険契約装置であって、保険契約の申込みを受け付けた場合に、保険契約の保険料を取得し、取得した保険料を、保険代理店の口座から保険会社の口座に振り込む指示を、保険代理店の口座を管理する口座管理装置に送信する指示送信部と、指示に対して、振り込みが完了した旨を口座管理装置から受信した場合に、保険契約の契約証の発券を承認する承認情報を保険代理店に送信する発券承認部とを備える。
【００１２】
発券承認部は、保険契約の申込みを受け付けた保険代理店が、予め定められた保険代理店である場合に、指示に対して、振り込みが完了した旨を口座管理装置から受信する前に、保険契約の契約証の発券を承認する承認情報を保険代理店に送信し、保険契約の申込みを受け付けた保険代理店が、予め定められた保険代理店ではない場合に、指示に対して、振り込みが完了した旨を口座管理装置から受信した後に、保険契約の契約証の発券を承認する承認情報を保険代理店に送信してもよい。
【００１３】
本発明の第３の形態によると、複数の商品の購入の申込みを受け付けた場合に、複数の商品の金額を精算する金額精算方法であって、コンピュータが、第１の商品と第２の商品の購入の申込みをユーザから受け付けた場合に、第１の商品の金額である第１の商品金額と、第２の商品の金額である第２の商品金額とを取得して、第１の商品金額と第２の商品金額を含む合計金額を算出する合計金額算出ステップと、所定の振込口座に合計金額が入金された旨を示す情報を受信した場合に、合計金額のうち、第２の商品金額を所定の振込口座とは異なる第２の振込口座に振り込む指示を送信する指示送信ステップとを備える。
【００１４】
所定の振込口座は、第１の商品の提供者が所有する振込口座である第１の振込口座であってもよい。指示送信ステップにおいて送信した指示通りに、第２の振込口座に振り込みが完了した旨を示す完了情報を受信した場合に、第２の商品の提供者である第２の提供者に第２の商品を要求する要求送信ステップをさらに備えてもよい。
【００１５】
第２の商品の提供者である第２の提供者が、予め定められた提供者である場合に、指示送信ステップにおいて送信した指示通りに第２の振込口座に振り込みが完了した旨を示す完了情報を受信した後に第２の提供者に第２の商品を要求し、一方第２の提供者が予め定められた提供者ではない場合に、完了情報を受信する前に、第２の提供者に第２の商品を要求する要求送信ステップをさらに備えてもよい。
【００１６】
ユーザから合計金額が入金された入金日を、ユーザに対応付けて格納する金額管理ステップと、予め定められた期間に入金された合計金額に含まれるすべての第２の商品金額を加算した一括金額を算出する一括金額算出ステップとをさらに備え、指示送信ステップにおいて、一括金額を第２の提供者の振込口座に振り込む指示を送信してもよい。
【００１７】
指示送信ステップにおいて、ユーザから合計金額が入金された旨を示す情報を受信した場合に、第１の商品金額を取得し、合計金額のうち、第１の商品金額を第１の商品の提供者である第１の提供者の振込口座に振り込む指示をさらに送信してもよい。
【００１８】
第２の商品は、保険であってもよい。第１の商品は、旅行であってもよい。指示送信ステップにおいて、合計金額を入金したユーザを識別する情報を、第２の振込口座の管理者に提示すべく、指示とともに送信してもよい。
【００１９】
本発明の第４の形態によると、保険契約を取り扱う保険代理店から保険契約の申込みを受け付ける保険契約方法であって、コンピュータが、保険契約の申込みを受け付けた場合に、保険契約の保険料を取得し、取得した保険料を、保険代理店の口座から保険会社の口座に振り込む指示を、保険代理店の口座を管理する口座管理装置に送信する指示送信ステップと、指示に対して、振り込みが完了した旨を口座管理装置から受信した場合に、保険契約の契約証の発券を承認する承認情報を保険代理店に送信する発券承認ステップとを備える。
【００２０】
発券承認ステップにおいて、保険契約の申込みを受け付けた保険代理店が、予め定められた保険代理店である場合に、指示に対して、振り込みが完了した旨を口座管理装置から受信する前に、保険契約の契約証の発券を承認する承認情報を保険代理店に送信し、保険契約の申込みを受け付けた保険代理店が、予め定められた保険代理店ではない場合に、指示に対して、振り込みが完了した旨を口座管理装置から受信した後に、保険契約の契約証の発券を承認する承認情報を保険代理店に送信してもよい。
【００２１】
本発明の第５の形態によると、複数の商品の購入の申込みを受け付けた場合に、複数の商品の金額を精算するコンピュータ用のプログラムであって、第１の商品と第２の商品の購入の申込みをユーザから受け付けた場合に、第１の商品の金額である第１の商品金額と、第２の商品の金額である第２の商品金額とを取得して、第１の商品金額と第２の商品金額を含む合計金額を算出する合計金額算出機能と、所定の振込口座に合計金額が入金された旨を示す情報を受信した場合に、合計金額のうち、第２の商品金額を所定の振込口座とは異なる第２の振込口座に振り込む指示を送信する指示送信機能とをコンピュータに実現させる。
【００２２】
所定の振込口座は、第１の商品の提供者が所有する振込口座である第１の振込口座であってもよい。指示送信機能において送信した指示通りに、第２の振込口座に振り込みが完了した旨を示す完了情報を受信した場合に、第２の商品の提供者である第２の提供者に第２の商品を要求する要求送信機能をさらに備えてもよい。
【００２３】
第２の商品の提供者である第２の提供者が、予め定められた提供者である場合に、指示送信機能において送信した指示通りに第２の振込口座に振り込みが完了した旨を示す完了情報を受信した後に第２の提供者に第２の商品を要求し、一方第２の提供者が予め定められた提供者ではない場合に、完了情報を受信する前に、第２の提供者に第２の商品を要求する要求送信機能をさらに備えてもよい。
【００２４】
ユーザから合計金額が入金された入金日を、ユーザに対応付けて格納する金額管理機能と、予め定められた期間に入金された合計金額に含まれるすべての第２の商品金額を加算した一括金額を算出する一括金額算出機能とをさらに備え、指示送信機能において、一括金額を第２の提供者の振込口座に振り込む指示を送信してもよい。
【００２５】
指示送信機能において、ユーザから合計金額が入金された旨を示す情報を受信した場合に、第１の商品金額を取得し、合計金額のうち、第１の商品金額を第１の商品の提供者である第１の提供者の振込口座に振り込む指示をさらに送信してもよい。
【００２６】
第２の商品は、保険であってもよい。第１の商品は、旅行であってもよい。指示送信機能において、合計金額を入金したユーザを識別する情報を、第２の振込口座の管理者に提示すべく、指示とともに送信してもよい。
【００２７】
本発明の第６の形態によると、保険契約を取り扱う保険代理店から保険契約の申込みを受け付けるコンピュータ用のプログラムであって、保険契約の申込みを受け付けた場合に、保険契約の保険料を取得し、取得した保険料を、保険代理店の口座から保険会社の口座に振り込む指示を、保険代理店の口座を管理する口座管理装置に送信する指示送信機能と、指示に対して、振り込みが完了した旨を口座管理装置から受信した場合に、保険契約の契約証の発券を承認する承認情報を保険代理店に送信する発券承認機能とをコンピュータに実現させる。
【００２８】
発券承認機能において、保険契約の申込みを受け付けた保険代理店が、予め定められた保険代理店である場合に、指示に対して、振り込みが完了した旨を口座管理装置から受信する前に、保険契約の契約証の発券を承認する承認情報を保険代理店に送信し、保険契約の申込みを受け付けた保険代理店が、予め定められた保険代理店ではない場合に、指示に対して、振り込みが完了した旨を口座管理装置から受信した後に、保険契約の契約証の発券を承認する承認情報を保険代理店に送信してもよい。
【００２９】
なお上記の発明の概要は、本発明の必要な特徴の全てを列挙したものではなく、これらの特徴群のサブコンビネーションも又発明となりうる。
【００３０】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００３１】
（第１の実施の形態）
図１は、第１の実施の形態に係る金額精算システム１００の全体を示す概略図である。金額精算装置２０は、航空券、ホテル、保険等の複数の商品の購入の申込みをユーザから一括で受け付け、それぞれの商品の金額を商品の提供者毎に精算する。
【００３２】
金額精算システム１００は、金額精算装置２０に商品の購入の申込みを行う複数のユーザ端末９０と、旅行代理店端末４０、保険会社端末４２、航空会社端末４４、ホテル端末４６、テーマパーク端末４８のような商品の提供者の提供者端末と、商品の金額の振り込み処理を行う口座管理装置３０とを備える。口座管理装置３０は、第１の振込口座３２から第２の振込口座３４に商品の金額を振り込む。
【００３３】
なお、本実施の形態に係る「旅行代理店」は、本発明に係る「第１の商品の提供者」の一例であり、本実施の形態に係る「保険会社」は、本発明に係る「第２の商品の提供者」の一例である。以下、第１の商品の一例として旅行を、第２の商品の一例として保険を、第１の商品の提供者の提供者端末の一例として旅行代理店端末４０を、第２の商品の提供者の提供者端末の一例として保険会社端末４２を用いて金額精算装置２０の動作を説明する。また本実施の形態に係る「保険」及び「旅行」に代えて「航空券」、「宿泊券」、「テーマパークチケット」等の他の商品でもよく、「保険会社」に代えて他の例としては、「航空会社」、「ホテル」、「テーマパーク」等の他の商品の提供者でもよい。また本実施の形態に係る保険会社端末４２に代えて、航空会社端末４４、ホテル端末４６、テーマパーク端末４８等の他の商品の提供者端末であってもよい。
【００３４】
金額精算装置２０は、ネットワーク１０を介してユーザ端末９０から、例えば旅行と保険のような複数の商品の申込みを受け付けると、旅行代理店の振込口座に合計金額がユーザから一旦入金される。入金された合計金額のうち、保険の金額分を保険会社の振込口座に振り込む指示を口座管理装置３０にネットワーク２５を介して送信する。また金額精算装置２０は、保険の金額分の振り込みが完了すると、保険会社が所有する保険会社端末４２に保険の契約証を要求する。
【００３５】
このように金額精算装置２０は、ユーザが旅行と保険を一括で申し込んだ場合に、旅行代理店の振込口座に入金された合計金額のうち、保険の金額分を保険会社の振込口座に振り込む指示を送信することができ、即座に振込処理を行わせることができる。従って保険会社は、ユーザを長期間待たせることなく、保険の金額分が振り込まれたことを確認した後に、保険の契約証を発券することができる。
【００３６】
図２は、金額精算装置２０の機能構成を示すブロック図である。金額精算装置２０は、購入の申込みを受け付けた複数の商品、即ち旅行と保険の合計金額を格納する金額データベース（金額格納部）２１０と、商品の提供者が提供する商品の種類とそれぞれの商品金額とを提供者に対応付けて格納する提供者データベース２１２と、申込みを受け付けた複数の商品の合計金額を算出してユーザに提示する合計金額算出部２００と、提示された合計金額がユーザから旅行代理店の振込口座に入金された旨を示す入金情報を口座管理装置３０から受信した場合に、保険の金額分を旅行代理店の振込口座から保険会社の振込口座に振り込む指示を口座管理装置３０に送信する指示送信部２０４と、保険の金額分を保険会社の振込口座に振り込みが完了した旨を口座管理装置３０から受信すると、保険の契約証の要求を保険会社端末４２に送信する要求送信部２０２とを有する。
【００３７】
また金額精算装置２０は、予め定められた期間に旅行代理店の振込口座に入金されたすべての保険の金額分の総合金額を算出する一括金額算出部２０６をさらに備える。合計金額算出部２００は、旅行と保険の合計金額を、旅行及び保険の種類とともに金額データベース２１０に格納する。ここで一括金額算出部２０６は、金額データベース２１０に格納されている保険の金額分の総合金額を算出する。次に一括金額算出部２０６は、算出した総合金額を指示送信部２０４に送る。指示送信部２０４は、受け取った総合金額を保険会社の振込口座に振り込む指示を口座管理装置３０に送信する。
【００３８】
記録媒体２２は、合計金額算出部２００、要求送信部２０２、指示送信部２０４、及び一括金額算出部２０６の動作を行わせるプログラムを格納する。他の方法としては、金額精算装置２０は、そのようなプログラムを、通信回線を介して取得してもよい。
【００３９】
このように金額精算装置２０は、旅行と保険の合計金額のうち、保険の金額分を旅行代理店の振込口座から保険会社の振込口座に振り分けることができる。
【００４０】
図３は、金額データベース２１０のデータフォーマットの一例を示す。金額データベース２１０は、ユーザが購入を申し込んだ複数の商品の種類（申込み商品）と、複数の商品の合計金額と、ユーザが合計金額を入金した入金日を示す情報とをユーザを識別する情報に対応付けて格納する。
【００４１】
このように金額データベース２１０が入金日をユーザに対応付けて格納することにより、金額精算装置２０は、予め定められた期間に入金したユーザを特定することができる。従って金額精算装置２０の一括金額算出部２０６は、予め定められた期間に入金された保険の金額分の総合金額を算出することができる。
【００４２】
図４は、提供者データベース２１２のデータフォーマットの一例を示す。提供者データベース２１２は、商品の提供者が取り扱う商品の種類と、それぞれの商品の金額と、商品提供者が所有する振込口座と、商品金額の振り分け時期とを示す情報を商品の提供者を示す情報に対応付けて格納する。
【００４３】
商品金額の振り分け時期とは、旅行代理店の振込口座にユーザから入金された合計金額を保険会社の振込口座に振り分けるべき時期である。例えば振り分け時期が「即」である場合には、ユーザからの入金が完了した直後に振り分けを行い、振り分け時期が「１月」である場合には、１月毎に過去１ヶ月間に入金された合計金額を振り分ける。
【００４４】
このように提供者データベース２１２が振り分け時期を商品の提供者に対応付けて格納することにより、金額精算装置２０は、ユーザから入金された合計金額を振り分ける時期を商品毎に決定することができる。
【００４５】
図５は、金額精算システム１００の動作を示すフローチャートである。ユーザ端末９０、金額精算装置２０、第１の振込口座３２、第２の振込口座３４、及び保険会社端末４２の処理を時間に沿ってフローチャートで示し、ユーザ端末９０、金額精算装置２０、第１の振込口座３２、第２の振込口座３４、及び保険会社端末４２間の相互のやりとりを横方向の矢印で示す。なお本実施の形態では、第１の振込口座３２は、旅行代理店の振込口座であり、第２の振込口座３４は、保険会社の振込口座である。
【００４６】
金額精算装置２０の合計金額算出部２００は、ユーザ端末９０から複数の商品の申込み、即ち旅行と保険のセット申し込みを受け付けると（Ｓ１００）、複数の商品のそれぞれの商品金額を提供者データベース２１２から抽出し、抽出した商品金額の合計金額を算出し（Ｓ１０２）、ユーザ端末９０に送信することにより、合計金額をユーザに提示する（Ｓ１０４）。また合計金額算出部２００は、ユーザが合計金額を入金すべき第１の振込口座を、合計金額とともにユーザ端末９０に送信する。ここでは第１の振込口座は、旅行代理店の振込口座であると予め定められている。
【００４７】
このように本実施の形態では、ユーザが入金すべき第１の振込口座は予め定まっているが、これに代えて、合計金額算出部２００が、複数の商品に対応する複数の振込口座から任意に選択してもよい。即ち合計金額算出部２００は、旅行代理店の振込口座と保険会社の振込口座のいずれかを任意に選択してもよい。
【００４８】
このようにユーザが旅行と保険を一括で申し込んだ場合に、合計金額算出部２００は、ユーザが申し込んだ旅行と保険の合計金額をユーザに提示し、入金を促すことができる。
【００４９】
次に合計金額算出部２００は、複数の商品のうち、提供者データベース２１２に対応付けて格納されている振り分け時期が「即」である商品に対応付けられている振込口座及び提供者を抽出する。即ち合計金額算出部２００は、提供者が予め定められた提供者である場合に、提供者に対応する振込口座を抽出する（Ｓ１０６）。
【００５０】
次に旅行代理店の振込口座にユーザから合計金額が入金された場合に（Ｓ１０８）、金額精算装置２０の指示送信部２０４は、合計金額が入金された旨を示す入金情報を、入金したユーザを識別するユーザ識別情報と、入金された金額を示す金額情報とともに、第１の振込口座３２を管理する口座管理装置３０から受信する（Ｓ１１０）。
【００５１】
次に指示送信部２０４は、受信したユーザ識別情報に対応付けて金額データベース２１０に格納されている合計金額と受信した金額情報とが一致する場合に、ユーザ識別情報に対応付けて格納されている商品の種類を金額データベース２１０から抽出する。次に指示送信部２０４は、抽出した商品の種類に対応付けて格納されている商品金額と振込口座を提供者データベース２１２から抽出する（Ｓ１１２）。
【００５２】
これにより指示送信部２０４は、振り分け時期が「即」である提供者、即ちユーザからの入金が完了した直後に振り分けを行うべき提供者の振り込み口座を抽出することができる。
【００５３】
次に指示送信部２０４は、商品金額を、第１の振込口座３２に入金された合計金額から、商品金額の各々に対応する第２の振込口座３４に商品金額を振り分ける指示を口座管理装置３０に送信する。具体的には、指示送信部２０４は、保険の金額分を第１の振込口座３２から第２の振込口座３４に振り込む指示をユーザ識別情報とともに口座管理装置３０に送信する（Ｓ１１４）。
【００５４】
口座管理装置３０は、保険の金額分を第１の振込口座３２から第２の振込口座３４に振り込む指示を受信すると、保険の金額分を第１の振込口座３２から第２の振込口座３４に振り込む処理を行う（Ｓ１１６）。このとき口座管理装置３０は、第２の振込口座の所有者に提示させるべく、ユーザ識別情報を第２の振込口座３４に送信する。これにより、第２の振込口座の所有者は、保険の金額分を入金したユーザを特定することができる。
【００５５】
口座管理装置３０は、保険の金額分を第１の振込口座３２から第２の振込口座３４に振り込む処理が完了すると、振り込み処理が完了した旨を示す完了情報を金額精算装置２０に送信する（Ｓ１１８）。
【００５６】
金額精算装置２０の要求送信部２０２は、振り込みの完了情報を受信した場合に、保険の契約証の要求を保険会社端末４２に送信する（Ｓ１２０）。保険会社端末４２は、保険の契約証の要求を受信すると、保険の契約証をユーザ端末９０に送信する（Ｓ１２２）。
【００５７】
このように金額精算装置２０は、旅行と保険のように複数の商品の申込みを受け付けた場合に、自動的に商品の金額をそれぞれの商品の提供者の振込口座に振り分けることができる。
【００５８】
また本実施の形態に係る金額精算装置２０は、商品の金額の振り込み完了後に商品の要求を送信する。従って要求を受信した商品の提供者は、商品の要求を受信することにより、既に振り込みが完了していることを知ることができるので、安心して即時に商品を提供することができる。
【００５９】
ここで本実施の形態に係る第２の商品の提供者は、保険会社であるが、これに代えて例えば航空会社である場合には、要求送信部２０２は、航空券の要求を航空会社端末４４に送信する。また第２の商品の提供者がホテルである場合には、宿泊券の要求を送信する。また第２の商品の提供者がテーマパークである場合には、テーマパークチケットの要求を送信する。
【００６０】
Ｓ１０６において合計金額算出部２００は、複数の商品のうち、提供者データベース２１２に対応付けて格納されている振り分け時期が「即」以外の時期である場合に、商品に対応付けられている提供者を抽出し、金額精算装置２０の動作はＳ１２０にジャンプする。
【００６１】
また一括金額算出部２０６は、提供者データベース２１２において、振り分け時期が「即」以外の時期に対応付けて格納されている商品の種類及び商品金額を抽出する。次に一括金額算出部２０６は、定期的に金額データベース２１０を参照し、抽出した商品の種類に対応付けられている入金日が、予め定められた期間に含まれる場合に、商品金額の総合金額を商品の種類毎に算出し、指示送信部２０４に送る。指示送信部２０４は、受け取った総合金額を第１の振込口座３２から第２の振込口座３４に振り込む指示を口座管理装置３０に送信する。
【００６２】
このように、金額精算装置２０の一括金額算出部２０６は、振り分け時期が例えば「１月」のように予め定められた期間である場合に、その期間に入金された商品金額をまとめて振り分けることができる。
【００６３】
第１の実施の形態に係る金額精算装置２０は、合計金額の一部の金額を第１の振込口座から一の第２の振込口座に振り込む指示を送信しているが、これに代えて他の例としては、合計金額の一部の金額を第１の振込口座から一の第２の振込口座に振り込み、さらに合計金額の残りの金額を第１の振込口座から他の第２の振込口座に振り込む指示を送信してもよい。
【００６４】
また第１の実施の形態に係る口座管理装置３０は、例えば銀行等の金融機関に設置され、金額精算装置２０と物理的に異なる装置であるが、これに代えて他の例としては、口座管理装置３０は、金額精算装置２０と一体に備えられていてもよく、口座管理装置３０の機能を金額精算装置２０が有していてもよい。
【００６５】
（第２の実施の形態）
第１の実施の形態に係る金額精算装置２０は、直接ユーザから商品の申込みを受け付け、商品の金額の振り分け指示を口座管理装置に送信しているが、これに代えて第２の実施の形態では、ユーザから商品の申込みを受け付ける装置と、振り分け指示を口座管理装置に送信する装置とを別々に備える。第２の実施の形態では、商品の一例として保険を、ユーザから商品の申込みを受け付ける装置の一例として保険代理店が所有する保険代理店端末７０を、振り分け指示を口座管理装置に送信する装置の一例として保険契約装置５０を用いて説明する。
【００６６】
図６は、第２の実施の形態に係る保険契約システム１０２全体の概略図である。保険契約装置５０は、保険契約を取り扱う保険代理店から保険契約の申込みを受け付けた場合に、保険代理店の振込口座から保険会社の振込口座に保険料の振り込みが完了すると契約証の発券を承認する。
【００６７】
保険契約システム１０２は、ユーザから保険の申込みを受けると、申込みを送信する保険代理店端末７０と、保険代理店端末７０から申込みをネットワーク１０を介して受け付ける保険契約装置５０と、保険契約装置５０から振り込みの指示をネットワーク５５を介して受信する口座管理装置６０と、保険料の精算処理を示す精算情報を保険契約装置５０から受信する保険会社端末８０とを備える。口座管理装置６０は、保険代理店の振込口座である保険代理店口座６２から保険会社の振込口座である保険会社口座６４に保険料を振り込む。
【００６８】
これにより保険契約装置５０は、保険料が即時に振り込まれるので、保険料の回収が完了したことを確認していても、早期に契約証の発券を承認することができる。従って、保険契約装置５０は、ユーザを長時間待たせることなく契約証を発券することができる。
【００６９】
図７は、保険契約装置５０の機能構成を示すブロック図である。保険契約装置５０は、保険契約の申込者と保険料を代理店毎に格納する契約データベース５１０と、保険代理店を識別する情報、保険契約の保険料、及び申込者を保険契約の申込みとともに保険代理店端末７０から受信し、受信した保険料を保険代理店口座６２から保険会社口座６４に振り込む振込指示を口座管理装置６０に送信する指示送信部５００と、振込指示に対して振込が完了した旨を示す完了情報を口座管理装置６０から受信した場合に、保険契約の契約証の発券を承認する承認情報を保険代理店端末７０に送信する発券承認部５０２と、発券承認部５０２が発券を承認した場合に、保険料を保険会社口座６４に振り込んだ旨を示す精算情報を保険会社端末８０に送信する精算情報送信部５０４とを備える。
【００７０】
これにより保険契約装置５０は、保険契約の申込みを受け付けると即時に保険料を保険会社口座６４に振り込むことができる。従って保険契約装置５０は、保険料が即時に振り込まれるので、保険料の回収が完了したことを確認していても、早期に契約証の発券を承認することができるので、ユーザを長時間待たせることなく、保険料の振込の完了後に契約証の発券を承認することができる。
【００７１】
また指示送信部５００は、保険代理店端末７０から受信した情報である保険料及び申込者を契約データベース５１０に格納する。さらに保険契約装置５０は、予め定められた期間に入金された保険料を契約データベース５１０から抽出して、抽出した保険料を加算することで合計保険料を算出し、指示送信部５００に送信する一括保険算出部５０６を備える。ここで指示送信部５００は、一括保険算出部５０６が算出した合計保険料を保険代理店口座６２から保険会社口座６４に振り込む振込指示を口座管理装置６０に送信する。
【００７２】
このように指示送信部５００は、予め定められた期間に入金された保険料の合計保険料を算出し、一括で保険会社口座６４に振り込む指示を口座管理装置６０に送信することができる。
【００７３】
図８は、契約データベース５１０のデータフォーマットの一例を示す。契約データベース５１０は、保険料の振込時期と、申込者と、保険料と、入金日を示す情報を保険代理店を示す情報に対応付けて格納する。
【００７４】
保険料の振込時期とは、保険代理店口座６２から保険会社口座６４に保険料を振り込む時期である。例えば振込時期が「即」である場合には、指示送信部５００は、保険契約の申込みを受信すると即座に振り分ける指示を送信する。一方振込時期が１月毎」である場合には、指示送信部５００は、１月毎に過去１ヶ月間に申し込まれた合計保険料を振り分ける指示を送信する。
【００７５】
図９は、保険契約システム１０２の動作を示すフローチャートである。保険代理店端末７０、保険契約装置５０、保険会社端末８０、保険代理店口座６２、及び保険会社口座６４の処理を時間に沿ってフローチャートで示し、保険代理店端末７０、保険契約装置５０、保険会社端末８０、保険代理店口座６２、及び保険会社口座６４間の相互のやりとりを横方向の矢印で示す。
【００７６】
まず保険代理店端末７０は、ユーザから保険契約の申込みを受け付けると（Ｓ２００）、保険代理店を識別する保険代理店識別情報、保険契約の申込者、及び保険料の申込みを示す情報とともに保険契約装置５０に送信する（Ｓ２０２）。保険契約装置５０の指示送信部５００は、受信した保険料及び申込者を示す情報を保険代理店に対応付けて契約データベース５１０に格納する（Ｓ２０４）。
【００７７】
指示送信部５００は、受信した保険代理店識別情報に対応付けて契約データベース５１０に格納されている振込時期が「即」である場合に（Ｓ２０６）、保険料を保険代理店口座６２から保険会社口座６４に振り込む振込指示を保険料及び保険代理店を示す情報とともに口座管理装置６０に送信する（Ｓ２０８）。
【００７８】
口座管理装置６０は、振込指示を受信すると、保険料を保険代理店口座６２から保険会社口座６４に振り込む振込処理を行う（Ｓ２１０）。次に口座管理装置６０は、振込処理が完了すると、その旨を示す完了情報を保険契約装置５０に送信する（Ｓ２１２）。
【００７９】
保険契約装置５０は、完了情報を口座管理装置６０から受信すると、保険契約の契約証の発券を承認する承認情報を保険代理店端末７０に送信する（Ｓ２１４）。次に保険契約装置５０は、保険料を保険会社口座６４に振り込んだ旨を示す精算情報を保険会社端末８０に送信する（Ｓ２１６）。
【００８０】
一方Ｓ２０６において、受信した保険代理店識別情報に対応付けて契約データベース５１０に格納されている振込時期が「即」以外である場合に、保険契約システム１０２の動作は、Ｓ２１６にジャンプする。
【００８１】
これにより、保険契約装置５０は、保険契約の申込みを受け付けると、保険料を保険会社口座６４に振り込んだ後に契約証の発券を承認するので、確実に保険料を徴収することができ、かつユーザを長時間待たせることなく契約証を発券することができる。
【００８２】
なお、第２の実施の形態に係る保険契約装置５０は、契約証を発券しているが、これに代えて他の例としては、領収証の発行を行ってもよい。
【００８３】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００８４】
【発明の効果】
上記説明から明らかなように、本発明によれば複数の商品の購入が申し込まれた場合に、商品毎に精算処理を行うことができる。
【図面の簡単な説明】
【図１】第１の実施の形態に係る金額精算システム１００全体を示す概略図である。
【図２】金額精算装置２０の機能構成を示すブロック図である。
【図３】金額データベース２１０のデータフォーマットの一例を示す図である。
【図４】提供者データベース２１２のデータフォーマットの一例を示す図である。
【図５】金額精算システム１００の動作を示すフローチャートである。
【図６】第２の実施の形態に係る保険契約システム１０２全体の概略図である。
【図７】保険契約装置５０の機能構成を示すブロック図である。
【図８】契約データベース５１０のデータフォーマットの一例を示す図である。
【図９】保険契約システム１０２の動作を示すフローチャートである。
【符号の説明】
１０　ネットワーク
２０　金額精算装置
２２　記録媒体
２５　ネットワーク
３０　口座管理装置
３２　第１の振込口座
３４　第２の振込口座
４０　旅行代理店端末
４２　保険会社端末
４４　航空会社端末
４６　ホテル端末
４８　テーマパーク端末
５０　保険契約装置
５５　ネットワーク
６０　口座管理装置
７０　保険代理店端末
８０　保険会社端末
９０　ユーザ端末
１００　金額精算システム
１０２　保険契約システム
２００　合計金額算出部
２０２　要求送信部
２０４　指示送信部
２０６　一括金額算出部
２１０　金額データベース
２１２　提供者データベース
５００　指示送信部
５０２　発券承認部
５０４　精算情報送信部
５０６　一括保険算出部
５１０　契約データベース
【図１】
2004046377.tif 000003
【図２】
2004046377.tif 000004
【図３】
2004046377.tif 000005
【図４】
2004046377.tif 000006
【図５】
2004046377.tif 000007
【図６】
2004046377.tif 000008
【図７】
2004046377.tif 000009
【図８】
2004046377.tif 000010
【図９】
2004046377.tif 000011